(57)【特許請求の範囲】
【請求項１】
複数の案件の活動に含まれる段階毎に関与した者、及び前記段階毎の開始時刻及び終了時刻を含む活動段階履歴と、前記関与した者の文書による通信の履歴を示す文書通信履歴情報とを取得し、前記案件の活動の各段階のそれぞれについて、関与した者、開始時刻及び終了時刻に対応した前記文書通信履歴情報から特徴語を抽出する特徴語抽出手段と、
前記抽出された特徴語のうち、指定された者の指定された案件の活動の段階について、抽出された特徴語と同一又は類似する特徴語を有する段階を特定し、前記活動段階履歴に基づいて前記特定した段階に関与した者を人脈候補として抽出する人脈候補抽出手段とを有する人脈候補提示装置。
【請求項２】
前記抽出された人脈候補とともに、前記類似する特徴語の類似度を算出し、当該類似度を出力する出力手段をさらに有する請求項１に記載の人脈候補提示装置。
【請求項３】
前記出力手段は、前記抽出された人脈候補、前記類似度、及び前記特定した段階を表した図又は表として出力する請求項２に記載の人脈候補提示装置。
【請求項４】
前記特定した段階のうち、前記指定された案件の活動の段階より未来のものについて、前記特定した段階と前記指定された案件の活動の段階とに基づいて到達時期を算出し、出力する請求項３に記載の人脈候補提示装置。
【請求項５】
複数の案件の活動に含まれる段階毎に関与した者、及び前記段階毎の開始時刻及び終了時刻を含む活動段階履歴と、前記関与した者の文書による通信の履歴を示す文書通信履歴情報とを参照可能なコンピュータに、
前記活動段階履歴と前記文書通信履歴情報とを取得し、前記案件の活動の各段階のそれぞれについて、関与した者、開始時刻及び終了時刻に対応した前記文書通信履歴情報から特徴語を抽出する特徴語抽出機能と、
前記抽出された特徴語のうち、指定された者の指定された案件の活動の段階について、抽出された特徴語と同一又は類似する特徴語を有する段階を特定し、前記活動段階履歴に基づいて前記特定した段階に関与した者を人脈候補として抽出する人脈候補抽出機能とを実現させる人脈候補提示プログラム。
【請求項６】
案件の活動に含まれる段階毎の関与者、前記段階毎の開始時刻と終了時刻を含む活動段階履歴及び前記関与者の文書通信履歴を示す文書通信履歴情報を取得する取得手段と、
前記段階毎に、前記文書通信履歴から特徴語を抽出する第１抽出手段と、
指定された活動の段階につき、前記抽出語と同一又は類似する抽出語を有する段階を特定し、前記活動段階履歴に基づいて前記特定した段階の関与者を抽出する第２抽出手段とを有する提示装置。
【発明の詳細な説明】
【技術分野】
【０００１】
本発明は、人脈候補提示装置、プログラム及び提示装置に関する。
【背景技術】
【０００２】
過去の活動に参加した者を人脈候補として表示する人脈候補提示装置が知られている。
【０００３】
例えば、特許文献１の人脈候補提示装置は、有識者の識別子を含む案件活動履歴と、有識者及び利用者の個人属性情報とを記憶する記憶手段と、利用者の検索要求に応じて動作して、入力された検索条件に一致する案件活動を案件活動履歴から抽出し、抽出した案件活動に参加した有識者の個人属性情報と利用者の個人属性情報とを検出して、少なくとも１つの共通の属性情報を持つ有識者を人脈候補として検出する人脈候補検出部とを有し、利用者が有識者と面識のない場合にもその有識者を提示する。
【先行技術文献】
【特許文献】
【０００４】
【特許文献１】特開２００７−４５０４号公報
【発明の概要】
【発明が解決しようとする課題】
【０００５】
本発明の目的は、明示的に活動履歴情報の登録が必要なく、利用者との関わりが必要となる時機とともに人脈候補を提示することができる人脈候補提示装置、プログラム及び提示装置を提供することにある。
【課題を解決するための手段】
【０００６】
［１］複数の案件の活動に含まれる段階毎に関与した者、及び前記段階毎の開始時刻及び終了時刻を含む活動段階履歴と、前記関与した者の文書による通信の履歴を示す文書通信履歴情報とを取得し、前記案件の活動の各段階のそれぞれについて、関与した者、開始時刻及び終了時刻に対応した前記文書通信履歴情報から特徴語を抽出する特徴語抽出手段と、前記抽出された特徴語のうち、指定された者の指定された案件の活動の段階について、抽出された特徴語と同一又は類似する特徴語を有する段階を特定し、前記活動段階履歴に基づいて前記特定した段階に関与した者を人脈候補として抽出する人脈候補抽出手段とを有する人脈候補提示装置。
【０００７】
［２］前記抽出された人脈候補とともに、前記類似する特徴語の類似度を算出し、当該類似度を出力する出力手段をさらに有する前記［１］に記載の人脈候補提示装置。
【０００８】
［３］前記出力手段は、前記抽出された人脈候補、前記類似度、及び前記特定した段階を表した図又は表として出力する前記［２］に記載の人脈候補提示装置。
【０００９】
［４］前記特定した段階のうち、前記指定された案件の活動の段階より未来のものについて、前記特定した段階と前記指定された案件の活動の段階とに基づいて到達するまでの時間を算出し、出力する前記［３］に記載の人脈候補提示装置。
【００１０】
［５］複数の案件の活動に含まれる段階毎に関与した者、及び前記段階毎の開始時刻及び終了時刻を含む活動段階履歴と、前記関与した者の文書による通信の履歴を示す文書通信履歴情報とを参照可能なコンピュータに、前記活動段階履歴と前記文書通信履歴情報とを取得し、前記案件の活動の各段階のそれぞれについて、関与した者、開始時刻及び終了時刻に対応した前記文書通信履歴情報から特徴語を抽出する特徴語抽出機能と、前記抽出された特徴語のうち、指定された者の指定された案件の活動の段階について、抽出された特徴語と同一又は類似する特徴語を有する段階を特定し、前記活動段階履歴に基づいて前記特定した段階に関与した者を人脈候補として抽出する人脈候補抽出機能とを実現させる人脈候補提示プログラム。
［６］案件の活動に含まれる段階毎の関与者、前記段階毎の開始時刻と終了時刻を含む活動段階履歴及び前記関与者の文書通信履歴を示す文書通信履歴情報を取得する取得手段と、
前記段階毎に、前記文書通信履歴から特徴語を抽出する第１抽出手段と、
指定された活動の段階につき、前記抽出語と同一又は類似する抽出語を有する段階を特定し、前記活動段階履歴に基づいて前記特定した段階の関与者を抽出する第２抽出手段とを有する提示装置。
【発明の効果】
【００１１】
請求項１又は５に係る発明によれば、明示的に活動履歴情報の登録が必要なく、利用者との関わりが必要となる時機とともに人脈候補を提示することができる。
【００１２】
請求項２に係る発明によれば、人脈候補の関連度を提示することができる。
【００１３】
請求項３に係る発明によれば、人脈候補を関連度及び段階とともに表示することができる。
【００１４】
請求項４に係る発明によれば、人脈候補を必要とする時期までの到達時間を提示することができる。
請求項６に係る発明によれば、請求項６に係る発明によれば、明示的に活動履歴情報の登録が必要なく、関わりが必要となる時機とともに関与者を提示することができる。
【図面の簡単な説明】
【００１５】
【図１】本発明の実施の形態に係る人脈候補提示システムの構成例を示す概略図である。
【図２】本発明の実施の形態に係る人脈候補提示サーバの構成例を示す概略図である。
【図３】本発明の実施の形態に係る活動履歴ＤＢの格納する情報の構成例を示す概略図である。
【図４】本発明の実施の形態に係る活動フェイズ履歴ＤＢの格納する情報の構成例を示す概略図である。
【図５】本発明の実施の形態に係る特徴語抽出結果の構成例を示す概略図である。
【図６Ａ】本発明の実施の形態に係る人脈候補抽出結果の表示形態例を示す概略図である。
【図６Ｂ】本発明の実施の形態に係る人脈候補抽出結果の表示形態の他の例を示す概略図である。
【図６Ｃ】本発明の実施の形態に係る人脈候補抽出結果の表示形態の他の例を示す概略図である。
【図７】本発明の実施の形態に係る人脈候補提示サーバの動作例を示すフローチャートである。
【発明を実施するための形態】
【００１６】
（人脈候補提示システムの構成）
図１は、本発明の実施の形態に係る人脈候補提示システムの構成例を示す概略図である。
【００１７】
人脈候補提示システム１００は、活動案件を実行する利用者に対して有識者を人脈候補として提示する人脈候補提示サーバ１と、利用者間でやりとりされるメール履歴２０及び利用者の属性情報である利用者情報２１を格納する文書通信履歴データベース（ＤＢ）２と、組織の活動の進行の段階を示す活動フェイズの履歴を格納する活動フェイズ履歴ＤＢ３と、人脈候補提示サーバ１にアクセスして操作する端末装置４と、各部を通信可能に接続するネットワーク５とを有する。
【００１８】
メール履歴２０は、例えば、図示しないメールサーバ等から送信者、受信者及びメールの内容量等の情報を取得して解析することで得られる情報である。なお、メール履歴２０の他、例えば、文書管理サーバ等から文書名、操作者、操作回数等の情報を取得して解析することで得られる情報を用いてもよい。
【００１９】
活動フェイズ履歴ＤＢ３は、活動案件の活動段階（フェイズ）を実行した期間及び利用者の履歴を示す活動フェイズ履歴３０と、活動案件の識別情報に対して案件名を定義する活動定義３１と、フェイズに対して実行する順序を定義するフェイズ定義３２とを有する。
【００２０】
端末装置４は、複数台用意されていてもよく、利用者情報２１に登録された利用者は、端末装置４を介して人脈候補提示サーバ１、文書通信履歴ＤＢ２、活動フェイズ履歴ＤＢ３及び図示しないメールサーバや活動フェイズ履歴管理サーバ等と通信する。メール履歴２０は、利用者がメールサーバを利用してメールを送受信するとメールサーバによって逐一更新される情報である。また、活動フェイズ履歴ＤＢ３に格納される情報は、利用者が活動フェイズ履歴管理サーバを利用して活動案件に関する情報を更新すると活動フェイズ履歴管理サーバによって逐一更新される情報である。
【００２１】
図２は、本発明の実施の形態に係る人脈候補提示サーバの構成例を示す概略図である。
【００２２】
人脈候補提示サーバ１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｃ  Ｄｒｉｖｅ）やフラッシュメモリ等の記憶装置から構成され情報を記憶する記憶部１１と、ネットワーク５を介して外部と通信する通信部１２とを有する。
【００２３】
制御部１０は、後述する人脈候補提示プログラム１１Ａを実行することで、特徴語抽出手段１０Ａと、人脈候補抽出手段１０Ｂと、表示手段１０Ｃとを動作させる。
【００２４】
特徴語抽出手段１０Ａは、ある活動案件のフェイズ実行中の期間にやりとりされたメール履歴２０において特徴的に用いられた語句を抽出する。人脈候補抽出手段１０Ｂは、特徴語抽出手段１０Ａによって抽出された特徴語を有する活動案件のフェイズに所属する有識者を人脈候補として抽出する。表示手段１０Ｃは、人脈候補抽出手段１０Ｂが抽出した人脈候補を属性情報とともに端末装置４の図示しない表示部等に表示する。
【００２５】
記憶部１１は、制御部１０を上述した各手段として動作させる人脈候補提示プログラム１１Ａと、上述した各手段が出力する結果を示す特徴語抽出結果１１Ｂと、人脈候補抽出結果１１Ｃとを記憶する。
【００２６】
図３（ａ）及び（ｂ）は、本発明の実施の形態に係る活動履歴ＤＢの格納する情報の構成例を示す概略図である。
【００２７】
メール履歴２０は、図３（ａ）に示すように、利用者どうしのメール送受信の履歴を示す情報であり、メール送信の履歴を示すメール送信履歴２０ａと、送信されたメールの内容を示すメッセージ２０ｂと、送信元及び受信先となる利用者のメールアドレスを示すメールアドレス２０ｃとを有する。
【００２８】
メール送信履歴２０ａは、別に保存されたメール内容に関連付けるための識別子を示すメッセージＩＤと、メールが送信された時刻を示す時刻と、送信元の利用者を示す発信者と、受信先の利用者を示す受信者と、メールのデータサイズを示すサイズとを有する。
【００２９】
メッセージ２０ｂは、メール送信履歴２０ａのメッセージＩＤに対応するメッセージＩＤと、メールの内容を示すコンテンツとを有する。
【００３０】
メールアドレス２０ｃは、メール送信履歴２０ａの発信者及び受信者に対応するメールアドレスと、利用者の識別子である社員番号とを有する。
【００３１】
利用者情報２１は、図３（ｂ）に示すように、メールサーバのメールサービスを利用するために登録された利用者に関する情報を示すものであり、利用者を識別する社員番号と、名前を示す社員名とを有する。
【００３２】
図４（ａ）〜（ｃ）は、本発明の実施の形態に係る活動フェイズ履歴ＤＢの格納する情報の構成例を示す概略図である。
【００３３】
活動フェイズ履歴３０は、図４（ａ）が示すように、ある案件のある活動段階（フェイズ）が行われた時期を示す情報であり、案件を識別する情報を示す活動ＩＤと、活動段階を示すフェイズと、フェイズが開始された時刻を示す開始時刻と、フェイズが終了した時刻を示す終了時刻と、フェイズに参加している利用者を示す社員番号とを有する。
【００３４】
活動定義３１は、図４（ｂ）が示すように、活動ＩＤに対する案件の名称を定義する情報であり、活動を識別する情報を示す活動ＩＤと、案件の名称を示す案件名とを有する。
【００３５】
フェイズ定義３２は、図４（ｃ）が示すように、フェイズの順序を定義する情報であり、フェイズの名称を示すフェイズと、フェイズの順序を示すインデックスとを有する。
【００３６】
図５（ａ）及び（ｂ）は、本発明の実施の形態に係る人脈候補提示サーバ１の抽出結果情報の構成例を示す概略図である。
【００３７】
特徴語抽出結果１１Ｂは、図５（ａ）に示すように、活動定義３１に対応づけられる活動ＩＤと、フェイズ定義３２に対応づけられるフェイズと、該当する活動ＩＤのフェイズにおいてやりとりされたメール履歴２０のメールのメッセージ２０ｂから抽出された特徴語を示す特徴語とを有する。
【００３８】
人脈候補抽出結果１１Ｃは、図５（ｂ）に示すように、利用者が現在実行中の活動ＩＤ及びフェイズと、関連する人物として人脈候補抽出手段１０Ｂによって抽出された利用者を示す有識者と、実行中の活動ＩＤ及びフェイズとの類似度を示す類似度ｒと、現時点から抽出されたフェイズに到達するまでの時期を示すフェイズ到達時期ｔとを有する。
【００３９】
図６Ａは、本発明の実施の形態に係る人脈候補抽出結果の表示形態例を示す概略図である。
【００４０】
人脈候補表示形態４０は、利用者が実行中の活動案件を示す案件軸４００ａ〜４００ｅと、中心を現時点として外側に向かって未来を示す時間目盛４０１ａ〜４０１ｃと、抽出された人脈候補抽出結果としての人脈候補４０２ａ〜と、各人脈候補４０２ａ〜の詳細情報を表示する詳細表示４０３ａ〜とを有する。
【００４１】
なお、各人脈候補４０２ａ〜は、類似度が高いほど各案件軸４００ａの近くに配置され、関連するフェイズと現時点との時間的距離に比例して配置される。
【００４２】
図６Ｂは、本発明の実施の形態に係る人脈候補抽出結果の表示形態の他の例を示す概略図である。
【００４３】
人脈候補表示形態４１は、利用者が実行中の活動案件を選択する案件選択部４１０と、原点を現時点として右に向かって未来を示す時間軸４１１と、抽出された人脈候補抽出結果としての人脈候補４１２ａ〜４１２ｄと、各人脈候補４１２ａ〜４１２ｄの詳細情報を表示する詳細表示４１３ａと、選択された案件との類似度を示す類似度軸４１４とを有する。
【００４４】
図６Ｃは、本発明の実施の形態に係る人脈候補抽出結果の表示形態の他の例を示す概略図である。
【００４５】
人脈候補表示形態４２は、利用者が実行中の活動案件の名前を示す案件名４２０ａ〜４２０ｃと、抽出された人脈候補抽出結果としての人脈候補４２２ａ〜４２２ｃと、各人脈候補４２２ａ〜４２２ｃの詳細情報を表示する詳細表示４２３ａ〜４２３ｃとを有する。
【００４６】
なお、図６Ａから図６Ｃまでの表示形態は、いずれも人脈候補抽出結果を二次元的に表示した例を示しているが、これら以外にも３次元的に表示するようにしてもよく、さまざまな形態で表示しうる。例えば、複数の表示形態で表示できるようにしておき、利用者が理解しやすい表示形態を選択できるようにしてもよい。
【００４７】
（動作）
以下に、本発明の一実施の形態における人脈候補提示システムの動作を各図を参照しつつ説明する。
【００４８】
まず、利用者は、端末装置４を操作し、図示しないメールサーバ等にアクセスしてメールを送信及び受信する。また、活動案件の進行に応じて活動フェイズ履歴管理サーバにアクセスして活動フェイズ履歴３０を更新する。
【００４９】
また、利用者は、現在進行中の活動案件に応じた有識者を知りたいとき、端末装置４を操作し、人脈候補提示サーバ１を動作させる。人脈候補提示サーバ１は、提示要求を受け付けると以下に説明するように動作する。
【００５０】
図７は、本発明の実施の形態に係る人脈候補提示サーバの動作例を示すフローチャートである。
【００５１】
まず、特徴語抽出手段１０Ａは、現在利用者が実行中の活動案件の（案件ＩＤ、フェイズ）を活動フェイズ履歴３０から取得して集合Ｚに代入する（Ｓ１）。集合Ｚが空集合でないとき、つまり、利用者が実行中の活動案件が存在するとき（Ｓ２；Ｎｏ）、集合Ｚから任意の（案件ＩＤ、フェイズ）を取り出してＸに代入する（Ｓ３）。なお、利用者が実行中の活動案件が存在しないとき（Ｓ２；Ｙｅｓ）、動作を終了する。
【００５２】
次に、Ｘの（案件ＩＤ、フェイズ）に関与する利用者のメールメッセージをメール履歴２０から取得して特徴語を抽出し、集合Ａを作成する（Ｓ４）。なお、メールメッセージから特徴語を抽出する方法は、例えば、以下に説明するＴＦ・ＩＤＦ法を用いて行う。
【００５３】
まず、単語ｔｉの出現頻度をＦ（ｔｉ）とすると、
【数１】
0005402285.tif 000002
は、頻出する単語について値が大きくなる。また、単語ｔｉを含むメールの数をＭ（ｔｉ）とし、全メール数をＭとすると、
【数２】
0005402285.tif 000003
は、めずらしい単語について値が大きくなる。以上より、
【数３】
0005402285.tif 000004
は、特徴的に頻出する単語について値が大きくなるため、ＴＦＩＤＦ（ｔｉ）が大きくなる単語ｔｉを特徴語とする。
【００５４】
次に、過去に抽出した特徴語抽出結果１１Ｂから完了した活動案件の（案件ＩＤ、フェイズ）の特徴語を用いて集合Ｂを作成し（Ｓ５）、集合Ａと類似する集合Ｂ、つまり実行中の活動案件のフェイズから抽出された特徴語と類似した特徴語を有する活動案件のフェイズを抽出して、その類似度ｒを計算して集合Ｋを作成する（Ｓ６）。なお、類似度ｒを計算する方法は、以下に説明する方法で行う。
【００５５】
特徴語集合Ａ及びＢについて、両者の類似度をＲ（Ａ，Ｂ）は、
【数４】
0005402285.tif 000005
である。ただし、Ｐ（ｔ）は、特徴語ｔが特徴語抽出結果１１Ｂのエントリーに出現する確率であり、単語ｔを含むエントリーの出現頻度をＥ（ｔ）とすると、
【数５】
0005402285.tif 000006
である。なおｒは、Ｒ（Ａ，Ｂ）から求められた値である。
【００５６】
次に、集合Ｋが空集合でないとき、つまり、類似する活動案件のフェイズが存在するとき（Ｓ７；Ｎｏ）、集合Ｋから任意の（案件ＩＤ、フェイズ、ｒ）を取り出しＹに代入する（Ｓ８）。また、類似する活動案件のフェイズが存在しないとき（Ｓ７；Ｙｅｓ）、集合Ｚから他の（案件ＩＤ、フェイズ）を取り出し、ステップＳ３〜Ｓ６を繰り返す。
【００５７】
ＹのフェイズがＸのフェイズ以降、つまり、Ｙのフェイズが実行中のフェイズより未来に起こるフェイズであるとき（Ｓ９；Ｙｅｓ）、実行中のフェイズからＹのフェイズに到達するのに必要なフェイズ到達時期ｔを算出する（Ｓ１０）。また、ＹのフェイズがＸのフェイズ以前のとき（Ｓ９；Ｎｏ）、その（案件ＩＤ、フェイズ、ｒ）を無視してステップＳ７へ戻る。
【００５８】
Ｙの利用者集合を有識者とし、フェイズ到達時期ｔ、類似度ｒとともに人脈候補抽出結果１１Ｃとして保存し（Ｓ１１）、ステップＳ７〜Ｓ１１を繰り返す。
【００５９】
次に、表示手段１０Ｃは、人脈候補抽出結果１１Ｃを、図６Ａ〜図６Ｃに示すように表示する。これらの表示は、端末装置４に備えられた図示しない表示部に表示される。
【００６０】
［他の実施の形態］
なお、本発明は、上記実施の形態に限定されず、本発明の趣旨を逸脱しない範囲で種々な変形が可能である。例えば、図７のステップＳ９において実行中のフェイズより未来のフェイズについて（案件ＩＤ、フェイズ、ｒ）を抽出したが、過去のものを抽出して行動の分析等に用いてもよい。
【００６１】
また、上記実施の形態で使用される特徴語抽出手段１０Ａと、人脈候補抽出手段１０Ｂと、表示手段１０Ｃとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００６２】
１…人脈候補提示サーバ、２…活動履歴ＤＢ、３…活動フェイズ履歴ＤＢ、４…端末装置、５…ネットワーク、１０…制御部、１０Ａ…特徴語抽出手段、１０Ｂ…人脈候補抽出手段、１０Ｃ…表示手段、１１…記憶部、１１Ａ…人脈候補提示プログラム、１１Ｂ…特徴語抽出結果、１１Ｃ…人脈候補抽出結果、１２…通信部、２０…メール履歴、２０ａ…メール送信履歴、２０ｂ…メッセージ、２０ｃ…メールアドレス、２１…利用者情報、３０…活動フェイズ履歴、３１…活動定義、３２…フェイズ定義、４０…人脈候補表示形態、４１…人脈候補表示形態、４２…人脈候補表示形態、１００…人脈候補提示システム、４００ａ-４００ｅ…案件軸、４０１ａ-４０１ｃ…時間目盛、４０２ａ-４０２ｃ…人脈候補、４０３ａ…詳細表示、４１０…案件選択部、４１１…時間軸、４１２ａ-４１２ｄ…人脈候補、４１３ａ…詳細表示、４１４…関連度軸、４２０ａ-４２０ｃ…案件名、４２２ａ-４２２ｃ…人脈候補、４２３ａ-４２３ｃ…詳細表示
【図１】
0005402285.tif 000007
【図２】
0005402285.tif 000008
【図３】
0005402285.tif 000009
【図４】
0005402285.tif 000010
【図５】
0005402285.tif 000011
【図６Ａ】
0005402285.tif 000012
【図６Ｂ】
0005402285.tif 000013
【図６Ｃ】
0005402285.tif 000014
【図７】
0005402285.tif 000015